(57)【要約】【課題】マッサージ効果が好ましく、利用効率が高いマッサージ棒を提供する。【解決手段】マッサージ棒は、軸杆１、ハンドル２及びマッサージローラ３を備える。軸杆１は、柔軟性材料又は硬質材料からなるとともに、ハンドル２が両端に嵌着される。軸杆１上の２つのハンドル２間には、マッサージローラ３が嵌合される。マッサージローラ３は、直径が異なる複数のマッサージプレート３１をそれぞれ有する。マッサージプレート３１の中央部には、軸杆１に対応した軸孔３１１が形成され、マッサージプレート３１のそれぞれが軸孔３１１を介して軸杆１に嵌合される。マッサージプレート３１の外縁には、凹凸状のマッサージ部３１２が形成される。マッサージ部３１２は、抜き孔３１３をそれぞれ有する。マッサージ部３１２は、抜き孔３１３により圧縮弾性を有する。【選択図】図１
0003199305.tif 000002
【実用新案登録請求の範囲】
【請求項１】
軸杆、ハンドル及びマッサージローラを備えたマッサージ棒であって、
前記軸杆は、柔軟性材料からなるとともに、前記ハンドルが両端に嵌着され、前記軸杆上の２つの前記ハンドル間には、前記マッサージローラが嵌合され、
前記マッサージローラは、直径が異なる複数のマッサージプレートをそれぞれ有し、前記マッサージプレートの中央部には、前記軸杆に対応した軸孔が形成され、前記マッサージプレートのそれぞれが前記軸孔を介して前記軸杆に嵌合され、前記マッサージプレートの外縁には、凹凸状のマッサージ部が形成されることを特徴とする、
マッサージ棒。
【請求項２】
前記マッサージ部は、抜き孔をそれぞれ有し、前記マッサージ部は、前記抜き孔により圧縮弾性を有することを特徴とする請求項１に記載のマッサージ棒。
【請求項３】
軸杆、ハンドル及びマッサージローラを備えたマッサージ棒であって、
前記軸杆は、硬質材料からなるとともに、前記ハンドルが両端に嵌着され、前記軸杆上の２つの前記ハンドル間には、前記マッサージローラが嵌合され、
前記マッサージローラは、直径が異なる複数のマッサージプレートをそれぞれ有し、前記マッサージプレートの中央部には、前記軸杆に対応した軸孔が形成され、前記マッサージプレートのそれぞれが前記軸孔を介して前記軸杆に嵌合され、前記マッサージプレートの外縁には、凹凸状のマッサージ部が形成されることを特徴とする、
マッサージ棒。
【考案の詳細な説明】
【技術分野】
【０００１】
本考案は、マッサージ棒に関し、特に、使用者がマッサージする部位に応じて様々な外観形状のマッサージローラを使用し、マッサージする部位にマッサージ棒を密着させて押圧マッサージを行い、好ましいマッサージ効果を得て、利用効率を高めるマッサージ棒に関する。
【背景技術】
【０００２】
生活のペースが速い現代社会では、人々は非常に忙しく、常日頃、様々な精神的ストレスを感じる人が多くなっている。そのため、生活上のストレスを適宜解消することは非常に重要となっており、仕事に対する意欲を維持し続けることができるように、たまには心を仕事モードから切り替えてリラックスする必要があるため、肉体的・精神的にリラックスできるようにマッサージを行う人が多い。
現代医学で証明されているように、マッサージを行うと、皮膚の温度が高まり、血液循環が加速されるため、体内の血管が拡張して肉体的・精神的にリラックスし、マッサージにより体内の脂肪を燃焼させて体内の新陳代謝が促進され、血液循環が徐々に良くなり、体がエネルギーを自然に消費するため、長期間マッサージすると痩身効果も得られる。
【０００３】
一般に自分でマッサージを行う場合、ツボ又は筋肉が硬くなったり痛くなったりした部位を手で押圧して揉むと、手の筋肉が硬くなったり痛くなったりすることがあるが、各種マッサージ棒を使用するとマッサージが容易になる。
【０００４】
このようなマッサージ棒は、所望のマッサージ効果を得ることができるが、実際に使用すると分かるように、マッサージ棒の形状が固定されているため、マッサージを行う部位に応じて形状を選択することができず、使用が制限を受けて利便性が低く、全体の構造設計上、改善の余地があった。
【考案の概要】
【考案が解決しようとする課題】
【０００５】
本考案の目的は、使用者がマッサージする部位に応じて様々な外観形状のマッサージプレートを選択して使用することができる上、軸杆を柔軟性材料により製作することにより、外縁に凹凸状のマッサージ部が形成された各マッサージプレートをマッサージする部位に密着させて押圧マッサージを確実に行い、好ましいマッサージ効果を得ることができる上、利用効率が高いマッサージ棒を提供することにある。
【課題を解決するための手段】
【０００６】
上記課題を解決するために、本考案の第１の形態によれば、軸杆、ハンドル及びマッサージローラを備えたマッサージ棒であって、前記軸杆は、柔軟性材料からなるとともに、前記ハンドルが両端に嵌着され、前記軸杆上の２つの前記ハンドル間には、前記マッサージローラが嵌合され、前記マッサージローラは、直径が異なる複数のマッサージプレートをそれぞれ有し、前記マッサージプレートの中央部には、前記軸杆に対応した軸孔が形成され、前記マッサージプレートのそれぞれが前記軸孔を介して前記軸杆に嵌合され、前記マッサージプレートの外縁には、凹凸状のマッサージ部が形成されることを特徴とするマッサージ棒が提供される。
【０００７】
前記マッサージ部は、抜き孔をそれぞれ有し、前記マッサージ部は、前記抜き孔により圧縮弾性を有することが好ましい。
【０００８】
上記課題を解決するために、本考案の第２の形態によれば、軸杆、ハンドル及びマッサージローラを備えたマッサージ棒であって、前記軸杆は、硬質材料からなるとともに、前記ハンドルが両端に嵌着され、前記軸杆上の２つの前記ハンドル間には、前記マッサージローラが嵌合され、前記マッサージローラは、直径が異なる複数のマッサージプレートをそれぞれ有し、前記マッサージプレートの中央部には、前記軸杆に対応した軸孔が形成され、前記マッサージプレートのそれぞれが前記軸孔を介して前記軸杆に嵌合され、前記マッサージプレートの外縁には、凹凸状のマッサージ部が形成されることを特徴とするマッサージ棒が提供される。
【図面の簡単な説明】
【０００９】
【図１】本考案の第１実施形態に係るマッサージ棒を示す分解斜視図である。
【図２】本考案の第１実施形態に係るマッサージ棒の使用状態の断面図である。
【図３】本考案の第１実施形態に係るマッサージ棒の使用状態の説明図である。
【図４】本考案の第２実施形態に係るマッサージ棒を示す斜視図である。
【図５】本考案の第２実施形態に係るマッサージ棒の使用状態の断面図である。
【図６】本考案の第３実施形態に係るマッサージ棒を示す斜視図である。
【図７】本考案の第３実施形態に係るマッサージ棒を示す断面図である。
【考案を実施するための形態】
【００１０】
以下、本考案の実施形態について図に基づいて説明する。なお、これによって本考案が限定されるものではない。
【００１１】
（第１実施形態）
図１及び図２を参照する。図１は、本考案の第１実施形態に係るマッサージ棒を示す分解斜視図である。図２は、本考案の第１実施形態に係るマッサージ棒の使用状態の断面図である。
図１及び図２に示すように、本考案の一実施形態に係るマッサージ棒は、少なくとも軸杆１、ハンドル２及びマッサージローラ３から構成されてなる。
【００１２】
軸杆１は、柔軟性材料からなる。軸杆１は、ハンドル２が両端に嵌着されるとともに、位置決め溝１１を有する。軸杆１上の２つのハンドル２間には、マッサージローラ３が嵌合される。
【００１３】
ハンドル２の内縁には、軸杆１の位置決め溝１１に対応する嵌着部２１が形成される。ハンドル２の嵌着部２１は、軸杆１の位置決め溝１１に嵌着される。
【００１４】
マッサージローラ３は、直径が異なる複数のマッサージプレート３１をそれぞれ有する。各マッサージプレート３１の中央部には、軸杆１に対応する軸孔３１１が形成され、各マッサージプレート３１が軸孔３１１により軸杆１上に嵌合され、各マッサージプレート３１の外縁には、凹凸状のマッサージ部３１２が形成されている。各マッサージ部３１２には、抜き孔３１３が形成されている。各マッサージ部３１２は、抜き孔３１３により圧縮弾性を有する。
【００１５】
本考案のマッサージ棒を実際に操作して使用する際、軸杆１上には、軸孔３１１を介してマッサージローラ３の各マッサージプレート３１が嵌着される。軸杆１の両端には、使用者が握ることができるハンドル２が嵌合され、ハンドル２によりマッサージローラ３が挟持されている。
マッサージローラ３をマッサージする部位で往復させると、マッサージローラ３の各マッサージプレート３１は、軸孔３１１を介して軸杆１上に嵌合され、各マッサージプレート３１を軸杆１上で回転させると、各マッサージプレート３１の外縁に形成された凹凸状マッサージ部３１２により、マッサージを行う部位に対して押圧マッサージを行うことができる。各マッサージ部３１２には、抜き孔３１３が形成されているため、各マッサージ部３１２に力を加えてマッサージを行う部位を押圧すると、各マッサージ部３１２が抜き孔３１３により圧縮弾性を有する上、軸杆１が柔軟性材料からなるため、任意に折り曲がってマッサージを行う部位に密着され（図３を併せて参照する）、これにより使用者は快適なマッサージ効果を得ることができる。
【００１６】
（第２実施形態）
図４及び図５を参照する。図４は、本考案の第２実施形態に係るマッサージ棒を示す斜視図である。図５は、本考案の第２実施形態に係るマッサージ棒の使用状態の断面図である。
図４及び図５に示すように、本考案の第２実施形態に係るマッサージ棒の軸杆１は、硬質材料からなる。軸杆１が硬質材料からなるため、使用上、同様にマッサージローラ３の各マッサージプレート３１が軸孔を介して軸杆１に嵌着され、かつ、軸杆１の両端にハンドル２が嵌着され、ハンドル２によりマッサージローラ３が挟持され、使用者がハンドル２を手で握ってマッサージする部位でマッサージローラ３を往復させ、マッサージすることができる。
【００１７】
（第３実施形態）
図６及び図７を参照する。図６は、本考案の第３実施形態に係るマッサージ棒を示す斜視図である。図７は、本考案の第３実施形態に係るマッサージ棒を示す断面図である。
図６及び図７に示すように、本考案を実際に使用する際、マッサージする部位に応じてマッサージローラ３の外観形状を形成することができる。例えば、中央部分が大きくて、両端部分が小さい外観形状になるようにマッサージローラ３の各マッサージプレート３１を並べたり、或いは図６及び図７に示すように、軸杆１からハンドル２を取り外し、中央部分が小さくて、両端部分が大きい外観形状になるようにマッサージローラ３の各マッサージプレート３１を並べたりした後、ハンドル２を軸杆１上へ嵌合させてマッサージローラ３の各マッサージプレート３１を挟持して位置決めし、様々な外観形状を有する各マッサージプレート３１により人体の様々な部位に対して押圧マッサージを行うことができる。
【００１８】
上述したことから分かるように、本考案のマッサージ棒は、従来技術と比べ、使用者がマッサージする部位に応じてマッサージローラの各マッサージプレートの外観形状を選択することができる上、軸杆を柔軟性材料で製作し、各マッサージプレートの外縁に形成された凹凸状マッサージ部をマッサージする部位に密着させることにより、押圧マッサージを確実に行って高いマッサージ効果を得て、利用効率を高めることができる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１      軸杆
２      ハンドル
３      マッサージローラ
１１    位置決め溝
２１    嵌着部
３１    マッサージプレート
３１１  軸孔
３１２  マッサージ部
３１３  抜き孔
【図１】
0003199305.tif 000003
【図２】
0003199305.tif 000004
【図３】
0003199305.tif 000005
【図４】
0003199305.tif 000006
【図５】
0003199305.tif 000007
【図６】
0003199305.tif 000008
【図７】
0003199305.tif 000009